(57)【要約】【課題】  本発明は釣り用バッグに関し、釣具等の取出しや収納が容易であると共に、収納口からの水の浸入を防止した釣り用バッグを提供することを目的とする。【解決手段】  請求項１に係る釣り用バッグは、上部に収納口が開口するバッグ本体と、当該収納口を開閉自在に覆い、第２の収納口が形成された蓋体と、当該第２の収納口を開閉する第２の蓋体とを備え、上記第２の収納口はその周縁に溝が形成され、第２の蓋体は、当該溝に差し込まれる側壁がその周縁部に形成されていることを特徴とする。そして、請求項２に係る発明は、請求項１に記載の釣り用バッグに於て、第２の蓋体は可撓性を有する材料で形成されて、側壁が外方へ傾斜して形成されていることを特徴とする。【選択図】    図１
2006204135.tif 000002
【特許請求の範囲】
【請求項１】
上部に収納口が開口するバッグ本体と、当該収納口を開閉自在に覆い、第２の収納口が形成された蓋体と、当該第２の収納口を開閉する第２の蓋体とを備え、
上記第２の収納口はその周縁に溝が形成され、第２の蓋体は、当該溝に差し込まれる側壁がその周縁部に形成されていることを特徴とする釣り用バッグ。
【請求項２】
第２の蓋体は可撓性を有する材料で形成されて、側壁が外方へ傾斜して形成されていることを特徴とする請求項１に記載の釣り用バッグ。
【請求項３】
第２の収納口の周縁に形成された溝は、バッグ本体の収納口を塞ぐ蓋体の周辺部に達して、溝内の水が排水可能となっていることを特徴とする請求項１または請求項２に記載の釣り用バッグ。
【発明の詳細な説明】
【技術分野】
【０００１】
本発明は、釣具等を収納して釣場に持ち運ぶ釣り用バッグに関する。
【背景技術】
【０００２】
従来から釣り用バッグは、釣具等を収納する容器として使用されており、多くの釣り用バッグは、柔軟で防水性を有する合成樹脂シートで上部に収納口が開口する箱状のバッグ本体（容器本体）が形成されて、当該収納口全体を蓋体で開閉可能に覆った構造が一般的である。
そして、釣具等を収納した釣り用バッグを釣場に持ち運び、必要に応じて釣具等を取り出し、不要となった物を釣り用バッグ内に戻すこととなるが、この釣具等の取出しや収納の度に、バッグ本体の収納口を覆う大きな蓋体の開閉を行わなければならず面倒であった。
【０００３】
而も、釣場は使用条件が厳しく、風が強く波の飛沫が飛んで来ることもあるため、釣具等の取出しや収納の度に蓋体を大きく開いてしまうと、収納口から飛沫がバッグ本体内に浸入したり、蓋体の表面に付着していた水滴等が収納口からバッグ本体内に浸入してしまう等の不具合が指摘されている。
また、図６及び図７に示すように特許文献１には、上部に収納口１が開口するボックス状の容器本体３と、その収納口１を開閉自在に覆うメインの蓋体５との間に、容器本体３の一側に固定される固定蓋７と、当該固定蓋７との間の屈折部９を介して収納口１を自由に開閉する可動蓋１１とからなる補助蓋１３を介装して、可動蓋１１の横幅の略中央部に柄杓が嵌挿可能な切欠き部１５を設けた補助蓋付き容器１７が開示されており、切欠き部１５に嵌挿した柄杓の持ち上げ操作で屈折部９を境に可動蓋１１が開いて、図７の如く容器１７が半開状態で使用できるようになっている。
【０００４】
そして、蓋体５と収納口１の周縁部に沿ってファスナ１９が取り付けられており、これを閉めることによって収納口１が蓋体５で完全に閉鎖されるようになっている。
【特許文献１】特開平１０−２４８４６３号公報
【発明の開示】
【発明が解決しようとする課題】
【０００５】
しかし乍ら、上記容器１７にあっても、図７に示すように取出しや収納の際に、容器本体３の横寸法と同一寸法に形成された大きな可動蓋１１をメインの蓋体５と同方向へ半ばまで開く必要があり、蓋体５を開ける手間とさほど変わらないのが実情である。
また、可動蓋１１を開くと収納口１が大きく開口するが、収納口１からの水の浸入を防止する積極的な対策が採られていないため、可動蓋１１を開いた際に、屈折部９に溜まっていた水滴や可動蓋１１の表面に付着していた水滴等が収納口１から容器本体３内に浸入したり、飛んできた波の飛沫が大きく開口する収納口１から浸入してしまう等の不具合があった。
【０００６】
本発明は斯かる実情に鑑み案出されたもので、釣具等の取出しや収納が容易であると共に、収納口からの水の浸入を防止した釣り用バッグを提供することを目的とする。
【課題を解決するための手段】
【０００７】
斯かる目的を達成するため、請求項１に係る釣り用バッグは、上部に収納口が開口するバッグ本体と、当該収納口を開閉自在に覆い、第２の収納口が形成された蓋体と、当該第２の収納口を開閉する第２の蓋体とを備え、上記第２の収納口はその周縁に溝が形成され、第２の蓋体は、当該溝に差し込まれる側壁がその周縁部に形成されていることを特徴とする。
【０００８】
そして、請求項２に係る発明は、請求項１に記載の釣り用バッグに於て、第２の蓋体は可撓性を有する材料で形成されて、側壁が外方へ傾斜して形成されていることを特徴とし、請求項３に係る発明は、請求項１または請求項２に記載の釣り用バッグに於て、第２の収納口の周縁に形成された溝は、バッグ本体の収納口を塞ぐ蓋体の周辺部に達して、溝内の水が排水可能となっていることを特徴とする。
【発明の効果】
【０００９】
請求項１に係る発明によれば、釣場で必要な釣具等を取り出したり、不要となった釣具等を戻す際に、第２の蓋体を開閉することでこれより大きな蓋体を開けずに済むため、従来に比し手間がかからず、また、バッグ本体内への水滴等の浸入を防止することができる利点を有する。
そして、請求項２に係る発明によれば、第２の蓋体で第２の収納口を塞いだ際に、第２の蓋体の側壁（スカート部）が変形し乍ら溝内に差し込まれて、溝の外側壁に圧接してその開放防止を図るため、第２の蓋体が不用意に開いて釣具等が飛び出して紛失してしまうことがなく、また、確実に水の浸入防止が図れる利点を有する。
【００１０】
更に、請求項３に係る発明によれば、第２の収納口の周縁に形成された溝を、バッグ本体の収納口を塞ぐ蓋体の周辺部に達するように設けることで、溝内に溜まった水滴等が蓋体外に排水されて、第２の蓋体の開放時に、バッグ本体内への水滴等の浸入をより確実に防止することができる利点を有する。
【発明を実施するための最良の形態】
【００１１】
以下、本発明の実施形態を図面に基づいて詳細に説明する。
図１乃至図３は請求項１乃至請求項３に係る釣り用バッグの第一実施形態を示し、図１に於て、２１は図３の如く合成樹脂発泡材（独立気泡発泡材または連続気泡発泡材）２３の表裏に、ナイロン織布や合成樹脂フィルムで形成した薄い外布（外側化粧布）２５と内布（内側化粧布）２７を添着した合成樹脂シート２９で形成された防水性を有するバッグ本体で、バッグ本体２１は底面及び側面を有するボックス状に形成されて内部を収納部とし、上部に収納口３１が開口している。
【００１２】
尚、上記外布２５と内布２７は、上述した成形材料の他、例えばナイロン織布に合成樹脂コーティングを施した成形材料等を使用してもよく、仕様に応じ適宜選択可能である。
そして、収納口３１の一側に、バッグ本体２１と同一材料で形成された蓋体３３が、合成樹脂シートからなるヒンジ部材（図示せず）を介して連結されており、蓋体３３の周縁部には、当該蓋体３３を収納口３１に被せた際（蓋体３３による収納口３１の閉鎖時）に、バッグ本体２１の上部外周を覆う側壁（以下、「スカート部」という）３５が当該外周に沿って延設されている。
【００１３】
また、バッグ本体２１の前側面３７と後側面３９の上部外周に、図示しない一対の運搬用のハンドルが取り付けられているが、バッグ本体２１の側面上部、即ち、前後側面３７，３９と左右側面４１，４３を構成する合成樹脂シート２９の上部は、図３に示すように金属や合成樹脂で形成された平面視矩形状のフレーム４５で外側に折り返されて、夫々の折返し片４７は、端部を除き各側面３７，３９，４１，４３の外側にウエルダ加工によって接合されている。
【００１４】
従って、収納口３１の周縁部は材料自体の特性によって可撓性，柔軟性を有すると共に、フレーム４５によってバッグ本体２１の強度アップと収納口３１の形状保持が図られている。
尚、本実施形態は、バッグ本体２１の前側面３７と後側面３９の上部外周に一対の運搬用のハンドルを取り付けたが、例えばバッグ本体２１の前後側面３７，３９間や左右側面４１，４３間に一本のショルダーベルトを架け渡してもよい。
【００１５】
そして、各折返し片４７の端部と、前記スカート部３５の端部との間にファスナ４９のテープ５１，５３が縫着されており、ファスナ４９の操作部５５を前記ヒンジ部材まで移動させると、蓋体３３が開いて収納口３１が全開するようになっている。
而して、本実施形態に係る釣り用バッグ５７は、上述の如き構成に加え、上記蓋体３３に形成された第２の収納口５９と、当該第２の収納口５９を開閉する第２の蓋体６１を備えたことを特徴とする。
【００１６】
図２及び図３に示すように蓋体３３の中央、即ち、バッグ本体２１の左右側面４１，４３方向の中央には、平面視矩形状の収納口５９が開口する浅い凹状の収納部６３が凸状の周壁部６５に囲繞されて一体に設けられており、収納部６３内に小物の釣具等が収納できるようになっている。そして、周壁部６５の周縁には、バッグ本体２１の左右側面４１，４３側に溝６７が設けられ、また、バッグ本体２１の前後側面３７，３９側に位置する周壁部６５の周縁は蓋体３３の周辺部に亘って切り欠かれており、溝６７内に溜まった水滴等が、この切欠き部分から蓋体３３外に排水できるようになっている。
【００１７】
更に、図３に示すように溝６７の外側壁６９は、溝６７の底部７１に向かって内方へと傾斜した傾斜面とされている。
そして、収納口５９（収納部６３）を開閉する第２の蓋体６１が、合成樹脂シートからなるヒンジ部材７３を介して蓋体３３に取り付けられており、図２に示すように蓋体３３はバッグ本体２１の後側面３９側へ展開して、収納口５９を開放するようになっている。
【００１８】
而して、図示するようにこの蓋体６１は、バッグ本体２１と同一材料で形成されて可撓性を有し、その周縁部には、図３に示すように前記周壁部６５の外周に沿って溝６７に嵌合可能な側壁（以下、「スカート部」という）７５が形成されている。
そして、図３の二点鎖線で示すようにスカート部７５は外方へ傾斜して形成されており、蓋体６１による収納部６３の閉鎖時に、スカート部７５が前記外側壁６９に当接し乍ら、溝６７の方向に沿った方向（下方）を向くように変形して溝６７内に差し込まれる。そして、スカート部７５は、蓋体６１を構成する材料の弾性に抗して変形されて、溝６７内に嵌合し乍ら外側壁６９に圧接することで、蓋体６１を保持してその開放を防止すると共に、収納口５９からの水の浸入防止を図るようになっている。
【００１９】
そして、斯様に蓋体６１を収納口５９に被せると、蓋体６１が蓋体３３と面一になり、蓋体６１の裏面側に前記周壁部６５が当接して、収納部６３が蓋体６１で完全に閉塞されるようになっている。
また、蓋体６１による収納部６３の閉鎖時に、既述したように蓋体６１のスカート部７５が外側壁６９に当接し乍ら周壁部６５に近づくように変形するため、収納口５９からの水の浸入が防止され、更に外側壁６９が周壁部６５に当接しているため、より確実に水の浸入が防止されている。
【００２０】
尚、水密性を高めるため、蓋体６１による収納部６３の閉鎖時に、スカート部７５の先端が圧接するパッキンを溝６７の底部７１に装着してもよい。
本実施形態に係る釣り用バッグ５７はこのように構成されているから、釣場に向かうに当たり、蓋体３３を開いてバッグ本体２１内に比較的大型の釣具や取出し頻度の低い釣具類を類を収納し、また、図２に示すように蓋体６１を開いて、収納部６３に手拭い等、取出し頻度の高い釣具類を収納しておけばよく、蓋体６１で収納部６３を閉鎖すると、既述したように蓋体６１のスカート部７５が溝６７内に嵌合し乍ら外側壁６９に圧接，変形して、蓋体６１が不用意に開くことがない。
【００２１】
そして、釣場で必要に応じて釣具等を取り出し、また、不要となった物を釣り用バッグ５７内にしまうが、収納部６３に手拭い等、取出し頻度の高い小型の釣具類を収納しておくことで、蓋体３３を全開することなく、蓋体３３の中央に取り付けた小さな蓋体６１を開けて、収納部６３に収納した必要な釣具等を取り出したり、不要となった釣具等を収納部６３に戻すことができる。
【００２２】
また、本実施形態は、収納部６３を周壁部６５で囲繞して、その周縁にスカート部７５が差し込まれる溝６７を設けているため、蓋体６１の表面に付着している水滴等は溝６７内に流下するが、既述したようにバッグ本体２１の前後側面３７，３９側に位置する周壁部６５の周縁は蓋体３３の周辺部に亘って切り欠かれているため、溝６７内に溜まった水滴等がこの切欠き部分から蓋体３３外に排水される。
【００２３】
従って、蓋体６１の開放時に、蓋体６１の表面や溝６７内に溜まっている水滴が収納部６３内に浸入することがなく、また、図７の従来例に比し収納口５９が小さいため、風が強く波の飛沫が飛んで来ても、収納口５９から飛沫が浸入する確率も低くなる。
勿論、本実施形態に係る釣り用バッグ５７も、バッグ本体２１内に収納した釣具を取り出す際には、蓋体３３を開けることとなる。
【００２４】
このように本実施形態によれば、収納部６３に取出し頻度の高い釣具類を収納しておけば、第２の蓋体６１を開閉することで、これより大きな蓋体３３を開けずに済むため、従来に比し手間がかからず、而も、収納口５９からの水滴等の浸入を防止することができると共に、蓋体６１による収納部６３の閉鎖時に、スカート部７５が変形し乍ら溝６７内に差し込まれて、外側壁６９に圧接して蓋体６１の開放防止を図るため、蓋体６１が不用意に開いて釣具等が飛び出して紛失してしまうことがない利点を有する。
【００２５】
図４及び図５は、請求項１乃至請求項３に係る釣り用バッグの第二実施形態を示し、本実施形態に係る釣り用バッグ７７は、前記釣り用バッグ５７の収納部６３を省略して、収納口５９からバッグ本体２１内に釣具類を直接出し入れできるようにしたものである。
そして、図示するように本実施形態では、屈曲状に形成した前記周壁部６５に代え、上方へ突出状に形成した周壁部である突片７９で平面視矩形状の収納口５９を囲繞すると共に、突片７９の周縁に、前記釣り用バッグ５７と同様の溝６７をバッグ本体２１の左右側面４１，４３側に設けたもので、バッグ本体２１の前後側面３７，３９側に位置する収納口５９の周縁は蓋体３３-1の周辺部に亘って切り欠かれて、溝６７内に溜まった水滴等がこの切欠き部分から蓋体３３-1外に排水できるようになっている。
【００２６】
そして、その他の構成は、蓋体３３-1を含め、前記釣り用バッグ５７と同様であるため、同一のものには同一符号を付してそれらの説明は省略する。
本実施形態はこのように構成されているから、釣場に向かうに当たり、蓋体３３-1を開いてバッグ本体２１内に釣具類を収納しておけばよく、蓋体６１で収納口５９を閉鎖すると、蓋体６１のスカート部７５が変形し乍ら溝６７内に差し込まれて外側壁６９に圧接するため、蓋体６１が保持されて不用意に開くことがない。
【００２７】
そして、釣場で必要に応じて釣具等を取り出し、また、不要となった物を釣り用バッグ７７内にしまう際には、蓋体３３-1を全開することなく、蓋体３３-1の中央に取り付けた小さな蓋体６１を開けて、バッグ本体２１内に収納した釣具等を取り出したり不要となった釣具等を戻すことができる。
また、本実施形態にあっても、収納口５９を突片７９で囲繞して、その周縁にスカート部７５が差し込まれて嵌合する溝６７を設けているため、蓋体６１の表面に付着している水滴等は溝６７内に流下するが、既述したようにバッグ本体２１の前後側面３７，３９側に位置する周壁部６５の周縁は蓋体３３-1の周辺部に亘って切り欠かれているため、溝６７内に溜まった水滴等がこの切欠き部分から蓋体３３-1外に排水される。
【００２８】
従って、蓋体６１の開放時に、蓋体６１の表面や溝６７内に溜まっている水滴が収納口５９から浸入することがなく、また、図７の従来例に比し収納口５９が小さいため、風が強く波の飛沫が飛んで来ても、収納口５９から飛沫が浸入する確率も低くなる。
勿論、本実施形態に係る釣り用バッグ７７にあっても、蓋体３３を開けて中の釣具を取り出すこともできる。
【００２９】
このように本実施形態によれば、第２の蓋体６１を開閉することで、これより大きな蓋体３３を開けずに済むと共に、収納口５９からの水滴等の浸入を防止することができ、また、蓋体６１による収納口５９の閉鎖時に、スカート部７５が変形し乍ら溝６７内に差し込まれて外側壁６９に圧接するため、蓋体６１が保持されて蓋体６１が不用意に開いて釣具等が飛び出してしまうことがなく、また、斯様にスカート部７５が変形し乍ら溝６７内に差し込まれて外側壁６９に圧接することで、収納口５９からの水の浸入防止が図れる利点を有する。
【００３０】
尚、上記各実施形態では、バッグ本体２１と蓋体３３，３３-1，蓋体６１を同一材料で形成したが、これらの実施形態に限定されるものではなく、仕様に応じ適宜成形材料を選択できることは勿論である。
【図面の簡単な説明】
【００３１】
【図１】請求項１乃至請求項３の第一実施形態に係る釣り用バッグの全体斜視図である。
【図２】第２の蓋体を開いた釣り用バッグの全体斜視図である。
【図３】図１のIII−III線断面図である。
【図４】第２の蓋体を開いた請求項１乃至請求項３の第二実施形態に係る釣り用バッグの全体斜視図である。
【図５】図４に示す釣り用バッグの要部断面図である。
【図６】従来の補助蓋付き容器の全体斜視図である。
【図７】可動蓋を開いた補助蓋付き容器の全体斜視図である。
【符号の説明】
【００３２】
２１  バッグ本体
２３  合成樹脂発泡材
２５  外布
２７  内布
２９  合成樹脂シート
３１  収納口
３３，３３-1  蓋体
３５，７５  スカート部
４９  ファスナ
５７，７７  釣り用バッグ
５９  第２の収納口
６１  第２の蓋体
６３  収納部
６５  周壁部
６７  溝
６９  外側壁
７９  突片
【図１】
2006204135.tif 000003
【図２】
2006204135.tif 000004
【図３】
2006204135.tif 000005
【図４】
2006204135.tif 000006
【図５】
2006204135.tif 000007
【図６】
2006204135.tif 000008
【図７】
2006204135.tif 000009